Podtech/llm-jp-corpus-v4-ja_patent huggingface dataset:
(57)【要約】 【課題】  本発明は、ココナッツオイルクリームに関するもので、発明者は、長年治療師として経験した中で、物理的手段として治療を行うことの他に、植物性オイルを皮膚に塗布する方法が医学的にも効果のあることを経験し、ココナッツオイルの塗布によるマッサージ法が筋肉の凝りや痛みを緩和することから、これに別の抗酸化成分を加えることによって治療効果を高めることができることを発見したので、ココナッツオイルを主剤としたオイルマッサージによる効果を高めることを目的とする。 【解決手段】  ココナッツオイルに蜜蝋及びデルタ・トコトリエノールのガンマシクロデキストリン包接体を混合して成るクリームである。【選択図】  なし【特許請求の範囲】
【請求項１】
ココナッツオイルに蜜蝋及びデルタ・トコトリエノールのガンマシクロデキストリン包接体を混合して成ることを特徴とするココナッツオイルクリーム。
【発明の詳細な説明】
【技術分野】
【０００１】
本発明は、ココナッツオイルクリームに関するものである。
【背景技術】
【０００２】
従来、人体の筋肉の凝りや痛みを緩和する手段として、按摩療法や整体療法などが普及しているが、その効果の達成には限界があることから、薬液を使用する療法もいろいろと存在する。しかし、発明者は、長年治療師として経験した中で、物理的手段として治療を行うことの他に、植物性オイルを皮膚に塗布する方法が医学的にも効果のあることを経験した。
【０００３】
そこで、経験則上、ココナッツオイルの塗布によるマッサージ法が、筋肉の凝りや痛みを緩和することから、これに別の抗酸化成分を加えることによって治療効果を高めることができることを発見した。
【０００４】
また、発明者が創作したココナッツオイルを主剤とする治療剤について調査したが、特に例示できるような治療剤に関する特許文献は見い出せなかったのである。
【発明の概要】
【発明が解決しようとする課題】
【０００５】
本発明は、ココナッツオイルを主剤としたオイルマッサージによる効果を高めることを目的とするものである。
【課題を解決するための手段】
【０００６】
本発明は、ココナッツオイル（ＲＢＤ）に蜜蝋及びデルタ・トコトリエノールのガンマシクロデキストリン包接体を混合して成るクリームである。
【発明の効果】
【０００７】
第１に、ココナッツオイルに蜜蝋とデルタ・トコトリエノールのガンマシクロデキストリン包接体を混合することによって筋肉の凝りや痛みの緩和を促進することができる。
【０００８】
第２に、ココナッツオイル自体は飽和脂肪酸であるため、酸化しない。
【実施例】
【０００９】
ここに使用するココナッツオイル（ＲＢＤ）は飽和脂肪酸であり、飽和脂肪酸は肉類の長鎖脂肪酸と違い、中鎖脂肪酸であるから、人体内に脂肪としては蓄積せず、カロリー源として使われるものであり、活力が直ちに上昇する。
【００１０】
さらに、ブドウ糖からエネルギーを生み出せなくなった脳でも、中鎖脂肪酸が供給されることにより、認知機能が向上する。
【００１１】
さらにまた、中鎖脂肪酸は、細菌，ウイルス，真菌などに対して、強力な殺菌力がある。そのため、感染症などに対しても有効であり、クリーム保存によっても、保存料や防腐剤を添加する必要はない。
【００１２】
このようにココナッツオイルだけでも申し分ないところ、デルタ・トコトリエノールを加えることによって、さらに筋肉や関節や神経などの痛みを緩和する効果が高まるのである。
【００１３】
また、皮膚のシミを作るプロセスを阻止することにより、シミの発症を防止するのである。（美白効果）
【００１４】
また、紫外線や放射線から、細胞の遺伝子を防護する作用がある。
【００１５】
そして、神経を保護する作用もある。
【００１６】
デルタ・トコトリエノールはビタミンＥの一種であるが、ビタミンＥは大別してトコフェノールとトコトリエノールの２種があり、それぞれα・β・γ・δの４タイプを有するものである。
【００１７】
この中で最も強い酸素ラジカル吸収能（ＯＲＡＣ）（＝抗酸化力の指標）を誇るのは、デルタ・トコトリエノールである。
【００１８】
デルタ・トコトリエノールは、一般的なビタミンＥとして知られているアルファ・トコフェロールに比して４０〜６０倍も強い抗酸化力を発揮する
【００１９】
筋肉・関節・神経の痛みに限らず、皮膚や脳の老化、ガン、心筋梗塞、糖尿病、動脈硬化、白内障などの多くの疾患や老化現象は、フリーラジカルや活性酸素による酸化的障害が原因となっている。
【００２０】
したがって、抗酸化力が高い成分を皮膚から補給することによって、体内の酸化的障害を抑制することができると考えられる。
【００２１】
デルタ・トコトリエノールは、アナトー（Ａｎｎａｔｔｏ）（＝熱帯アメリカ原産の常緑低木、日本ではベニノキ）果実の種子から抽出される油脂の成分である。
【００２２】
優れた抗酸化力を有するデルタ・トコトリエノールは、熱や光、空気に触れるなどにより急速に酸化して活性を失ってしまう。
【００２３】
そこで、γＣＤ（ガンマ・シクロデキストリン）で包接することによって酸化安定性を高めた製品が、デルタ・トコトリエノール包接体である。（株式会社シクロケム提供）
【００２４】
本製品は、デルタ・トコトリエノール包接体を効果的に皮膚から補えるように開発したものである。
【００２５】
ココナッツオイルにデルタ・トコトリエノール包接体を混合しても溶解しないため、しばらく経つと沈殿してしまう。
【００２６】
そこで、成分を均一の混合状態に保持するため、蜜蝋を使ってクリーム状にしたことにより、非常に使い易くなったのである。
【００２７】
夏期に液体状になったココナッツオイルは、（１）床や服に垂れる（→汚れる）、（２）持ち運びが不便（→漏れる）、（３）匂いが衣服に付く（→落ちない）などといった不便性がある。
【００２８】
そこで、蜜蝋でクリーム状にすること及び無臭タイプのココナッツオイルを用いることによって、夏期でも固形状態を保ち、垂れることはなく、持ち運びに便利であり、衣服に匂いがつく心配がないものとなったのである。
【００２９】
配合例としては、ＲＢＤココナッツオイル９０ｍｌ，蜜蝋９ｇ，デルタ・トコトリエノール包接体（→デルタ・トコトリエノール含有率２０％）１〜２ｇである。
(57)【要約】【課題】製造を容易にし、かつ、交換時間を大幅に延ばした溶接用コンタクトチップを提供する。【解決手段】コンタクトチップ１の母材５にメッキ被膜６を施すとともに、メッキ被膜６の上に超極圧潤滑剤のコーティング層７を形成する。メッキ被膜６がニッケル‐ボロンメッキ被膜である。【選択図】図２
2017189816.tif 000002
【特許請求の範囲】
【請求項１】
溶接用ワイヤを挿通する挿通孔を形成し、溶接用ワイヤを案内するとともに、溶接電流を供給する溶接用コンタクトチップにおいて、コンタクトチップの母材にメッキ被膜を施すとともに、メッキ被膜の上に超極圧潤滑剤のコーティング層を形成したことを特徴とする溶接用コンタクトチップ。
【請求項２】
前記メッキ被膜がニッケル‐ボロンメッキ被膜であることを特徴とした請求項１記載の溶接用コンタクトチップ。
【発明の詳細な説明】
【技術分野】
【０００１】  本発明は、溶接用ワイヤを案内するとともに、溶接電流を供給する溶接用コンタクトチップに関するものである。
【背景技術】
【０００２】  溶接用コンタクトチップは、銅合金製のコンタクトチップに溶接用ワイヤの挿通孔を形成し、この挿通穴に溶接用ワイヤを挿通し、溶接用ワイヤが挿通孔の壁面に接触することによって電流を供給し溶接するものであるが、このようなものでは、溶接時にコンタクトチップが高温になり軟化するとともに、溶接用ワイヤの送り出しによる摩擦によって、コンタクトチップの挿通孔の先端の形状が変形し、溶接品質が低下するために、一定時間溶接するとコンタクトチップを交換する必要があった。【０００３】  このため、従来、コンタクトチップの交換時間を延ばすため、図３に示すように、銅合金製の溶接用コンタクトチップ本体の先端にセラミック体を嵌め込み、溶接用コンタクトチップの挿通孔先端の摩耗を防止したものがある。（例えば、特許文献１参照）
【先行技術文献】
【特許文献】
【０００４】
【特許文献１】特開平１０−１９３１２２号
【発明の概要】
【発明が解決しようとする課題】
【０００５】  前記のものでは、コンタクトチップ本体にセラッミク体を嵌め込まなければならず、製造が面倒であり、かつ、銅合金とセラミックでは熱膨張係数が大幅に異なるので、溶接用コンタクトチップは溶接時に高温になると、熱膨張係数の違い、及び溶接ワイヤを送り出すときにセラミック体に掛かる摩擦力の抵抗により、セラミック体が抜け落ちる恐れがあるという問題があった。【０００６】  本発明は、前記の問題を解決し、製造を容易にし、かつ、交換時間を大幅に延ばした溶接用コンタクトチップを提供することを目的になされたものである。
【課題を解決するための手段】
【０００７】  上記課題を解決するためになされた本発明の溶接用コンタクトチップは、溶接用ワイヤを挿通する挿通孔を形成し、溶接用ワイヤを案内するとともに、溶接電流を供給する溶接用コンタクトチップにおいて、コンタクトチップの母材にメッキ被膜を施すとともに、メッキ被膜の上に超極圧潤滑剤のコーティング層を形成したことを特徴とするものである。【０００８】  前記メッキ被膜がニッケル‐ボロンメッキ被膜であるものであることが好ましく、これを請求項２に係る発明とする。
【発明の効果】
【０００９】  請求項１の発明では、コンタクトチップの母材にメッキ被膜を施すとともに、メッキ被膜の上に超極圧潤滑剤のコーティング層を形成したので、コンタクトチップの製造が容易にでき、かつ、メッキ被膜によりコンタクトチップ表面を硬化するとともに、超極圧潤滑剤によって摩擦係数を大幅に低下したので、溶接用ワイヤの送り出しによる摩擦を大幅に小さくでき、溶接用ワイヤの挿通孔先端の変形を防止して溶接用コンタクトチップの交換時間を大幅に延ばすことができるという効果がある。【００１０】  請求項２の発明では、メッキ被膜がニッケル‐ボロンメッキ被膜であるので、さらに溶接用コンタクトチップの交換時間を延ばすことができる。
【図面の簡単な説明】
【００１１】
【図１】本発明の実施形態を示す断面図である。
【図２】第１図の部分拡大図である。
【図３】従来例を示す一部切欠き図である。
【発明を実施するための形態】
【００１２】  以下、本発明の好ましい実施の形態について図１、図２に基づいて説明すると、１は導電性に優れた銅、クロム銅、ベリリウム銅等の銅合金からなり、先端先細状のコンタクトチップであり、コンタクトチップ１は、図示されていない溶接用ワイヤを挿通する挿通孔２が、基端の外周面にねじ部が螺刻された取付け部３から本体部４の先端まで貫通されている。尚、挿通孔２は本体部４の前半分の挿通孔部２ａが本体部分の後半分の挿通孔部２ｂと取付け部３の挿通孔部２ｃより穴径が小さくなるとともに、取付け部３の基端部に溶接用ワイヤのガイド部２ｃが形成されている。
【００１３】  次に、コンタクトチップ１の被膜について、図２に基づいて説明すると、コンタクトチップ１の銅合金製の母材５の表面にはメッキ被膜であるニッケル‐ボロンメッキ被膜６が施され、ニッケル‐ボロンメッキ被膜６の上に超極圧潤滑剤のコーティング層７が形成されている。
【００１４】  以上のように、本発明では、コンタクトチップ１の母材５にメッキ被膜６を施すとともに、メッキ被膜６の上に超極圧潤滑剤のコーティング層７を形成したので、コンタクトチップ１の製造が容易になり、かつ、メッキ被膜６によってコンタクトチップ１の表面の硬度を上げるとともに、超極圧潤滑剤のコーティング層７によって摩擦を大幅に減少したので、溶接用ワイヤの送り出しによる、コンタクトチップ１の挿通孔２の先端の変形を防止でき、さらに、表面に超極圧潤滑剤のコーティング層７を施したことにより、溶接時に発生するスパッタの付着を抑制できるとともに、付着したスパッタの剥離も容易にできる。
【符号の説明】
【００】    １：コンタクトチップ
２：挿通孔
５：母材
６：メッキ被膜
７：コーティング層
【図１】
2017189816.tif 000003
【図２】
2017189816.tif 000004
【図３】
2017189816.tif 000005
(57)【要約】【課題】天然由来の活性成分を植物体を用いて周囲に発散させる蒸散装置の提供を目的とする。【解決手段】天然由来の活性成分を植物体に取り込ませる手段を備え、前記活性成分を植物体から蒸散させるものであることを特徴とする。【選択図】  図１
2017189139.tif 000002
【特許請求の範囲】
【請求項１】
天然由来の活性成分を植物体に取り込ませる手段を備え、
前記活性成分を植物体から蒸散させるものであることを特徴とする蒸散装置。
【請求項２】
前記活性成分は、天然由来の消臭活性成分であることを特徴とする請求項１記載の蒸散装置。
【請求項３】
前記天然由来の活性成分を植物体に取り込ませる手段は、当該天然由来の活性成分が含まれる水溶液又は、当該天然由来の活性成分を吸収させた膨潤高分子体による栽培であることを特徴とする請求項１又は２記載の蒸散装置。
【発明の詳細な説明】
【技術分野】
【０００１】
本発明は、周囲の空間を改善するための有効成分を蒸散させるための蒸散装置に関し、特に植物体の生態機能を活用した蒸散装置に係る。
【背景技術】
【０００２】
植物体は呼吸と光合成をしており、必要な水と成長成分を根等から吸収し、葉等に有する気孔から水分等を蒸散する蒸散機能を有している。
このような蒸散機能を利用したものとしては、特許文献１に、容器に植え付けた植物の根に芳香物質を含有した水溶液を吸収させ、この芳香物質を葉から蒸散させる香りの発生方法を開示する。
しかし、周囲の空間に有する匂いを消臭できるものではない。
特許文献２〜４には、特定の芳香成分又は、害虫防除剤を、植物体を用いて蒸散させる方法を開示するが、これらも消臭活性成分や除菌活性成分を充分に蒸散させることができるものではない。
【先行技術文献】
【特許文献】
【０００３】
【特許文献１】特開平４−１０８３１７号公報
【特許文献２】特許第２６４５７６３号公報
【特許文献３】特許第２７１１９９９号公報
【特許文献４】特許第５７１１１２５号公報
【特許文献５】特開２０１５−１１９７５２号公報
【発明の概要】
【発明が解決しようとする課題】
【０００４】
本発明は、天然由来の活性成分を植物体を用いて周囲に発散させる蒸散装置の提供を目的とする。
【課題を解決するための手段】
【０００５】
本発明に係る蒸散装置は、天然由来の活性成分を植物体に取り込ませる手段を備え、
前記活性成分を植物体から蒸散させるものであることを特徴とする。
ここで、前記活性成分は、天然由来の消臭活性成分であるのが好ましく、あるいは除菌活性成分、芳香活性成分であってもよい。
【０００６】
このような天然由来の活性成分は植物に対して毒性を有しないものがよい。
例えば、特許文献５に記載されているように、ペジオコックス属細菌、酵母細胞、バチラス属微生物、連鎖球菌及びブドウ球菌等の有用微生物群を用いた産生物を含有するものがよい。
このような有用微生物群は、除菌活性成分を産生し、微生物の発育により発生する悪臭を抑え、臭気物質の分解酵素を産生する。
また、これらの有用微生物群は、いろいろな培地で培養できるが、培地として米ぬかが含有されたものを採用すると、その成分には臭気発生の原因となる物質の中和作用を有する酸性成分又は塩基性成分を有する。
酸性成分としては、乳酸、酢酸、プロピオン酸、酪酸、コハク酸等が含まれる。
塩基性成分としてはスペルミジン、スペルミン、プトレスミン等が含まれる。
いずれにしても、これらの培養及び抽出液を精製し、これを１００〜５００倍に希釈して使用でき、このような天然由来の活性成分は、人間や植物にやさしく安定性が高い。
例えば、株式会社アースクリエーションから、商品名：バイオファイターとして販売されている。
【０００７】
これらの活性成分を植物体の呼吸や光合成の生態活動に伴って、この植物体に取り込ませる方法に制限はない。
例えば、前記天然由来の活性成分を植物体に取り込ませる手段は、当該天然由来の活性成分が含まれる水溶液又は土壌、あるいは当該天然由来の活性成分を吸収させた膨潤高分子体による栽培であってよい。
また、前記栽培に繊維状にした亜鉛と銅からなる銅合金を用いると、水のヌメリや藻の発生を抑えることができる。
さらには、前記栽培に微酸性電解水（微酸性次亜塩素酸水）を加えることもできる。
【０００８】
本発明に用いる植物体に制限はない。
例えば、サトイモ科に属する、ポストライム，ヒメモンステラ，ディフェンバキアカーミラ，ヤシ科のアレカヤシ，リュウゼツラン科のサンセベリアローレンティー等が例として挙げられる。
【発明の効果】
【０００９】
本発明に係る植物体を利用した蒸散装置は、例えば観葉植物等の社会環境及び生活環境を豊かにする鑑賞用植物を介して天然由来の活性成分を周囲に蒸散させることができるので、さらに快適な空間を提供することができる。
【図面の簡単な説明】
【００１０】
【図１】植物栽培によるアンモニアの消臭試験結果をグラフに示す。
【発明を実施するための形態】
【００１１】
天然由来の消臭活性成分を加えた水溶液を用いて水耕栽培を行い、アンモニアの消臭効果を試験評価したので、以下、説明する。
【００１２】
天然由来の活性成分として、株式会社アースクリエーション社の商品名「バイオファイター」を同量の水で希釈した試験液をフラスコに入れ、高さ２０〜４０ｃｍの植物を一株水耕栽培した。
評価に用いた植物は、ポトスライム，アレカヤシ，ディフェンバキアカーミラである。
対照区としては水のみによるポストライム水耕，植物を有しない試験液のみ入ったフラスコを用いた。
これらをアンモニア初期濃度を１０ｐｐｍに調整したＨ７０×Ｗ５０×Ｄ５０ｃｍからなる容量１７５リットルのアクリル製チャンバー内で栽培した。
チャンバー内の空気を所定時間毎に１００ｍｌ吸引し、アンモニア検知管（ガステック社製Ｎｏ．３Ｌ）を用いた検知管式気体測定器（ガステック社製ＧＶ−１００Ｓ）にて、アンモニア濃度を色の変化で計測した。
なお、計測値は温度補正した値である。
その結果を図１のグラフに示す。
グラフ中、ポトス（水）は水のみでポトスライムを栽培したものであり、植物なし（試験液のみ）は、フラスコに試験液のみを入れた状態のものである。
ポトス（試験液）、アレカヤシ（試験液）、ディフェンバキア（試験液）はそれぞれ、前記試験液にて、ポトスライム，アレカヤシ，ディフェンバキアカーミラを栽培したものである。
天然由来の消臭成分を加えた試験液では、明らかにアンモニアの除去効果が高いことが分かる。
特に植物アレカヤシでは３００分で６０％のアンモニア除去効果があり、ディフェンバキアで３００分、７０％のアンモニア除去効果が認められた。
【図１】
2017189139.tif 000003
(57)【要約】【課題】従来の人工漁礁は、コンクリートを用いたものが主流であったが、材質が無機質で、魚の棲み家として定着するには自然な環境とはほど遠いものがあった。  また、山林の間伐材の活用は間伐手入れが追い付かず、山林が荒廃するという課題があった。  更に、鉄鋼スラグの活用面でも新たな需要が求められていた。【解決手段】鉄鋼スラグを活用し、型枠ブロックを製作する際に、木材丸太を埋め込んで漁礁を製作し、固形化したのち海中に敷設する。海中に敷設した後は経年と共に木材丸太は腐蝕消失しそのあとに空洞の穴が残る。  木材丸太は海中において腐蝕消失する際、海中生物への有機質の供給をつかさどり、その効果によりブロックの表面は藻の繁殖に適する環境を作る。木材丸太の腐蝕消失の跡にできた穴は、魚類の棲み家として格好の場所となる。  この技術により間伐材と鉄鋼スラグの有効利用を促進し、また、沿岸漁業の振興に寄与できる。【選択図】図２
2017189159.tif 000002
【特許請求の範囲】
【請求項１】
鉄鋼スラグで製作する任意の大きさのブロックに任意の大きさの木材丸太を埋め込んだ漁礁。
【発明の詳細な説明】
【技術分野】
【０００１】  本発明は、有効利用を求められている間伐材等の木質材料とリサイクル品である鉄鋼スラグとのそれぞれの長所を融合することにより、環境保全に合致した漁礁をはじめとする海中生物礁の製作に関する分野の技術である。
【背景技術】
【０００２】  林業労働者の高齢化に伴う後継者不足により、戦後営々と築いてきた我が国の人工林は、荒廃の一途を辿っている。現在のところこの傾向に対する決定的な対策は見られない。【０００３】  良質の木材を生産するためには、その生育過程において適宜、技術と労力を伴う手入れの必要があるが、現在、林地の多くが放置された状態にある。中でも間伐がなされていなければ良質の木材生産は出来ないし、国土保全の観点からも問題がある。間伐材の有用な活用が種々模索されてはいるが、間伐材を伐採搬出し種々の加工を施しても全体的な需要の規模が小さく、その殆どが事業として採算がとれないのが現実である。【０００４】  このような状況の中で、事業として成立する間伐材の有効利用の技術開発が強く求められている。間伐材の大々的な有効利用が図られることは森林の荒廃を防ぎ、国土の保全はもとより弱体化した林業の活性化に期待できる。【０００５】  鉄鋼スラグはリサイクル製品として、セメント原料、コンクリート骨材、土木建築資材、肥料など多方面に有効利用されている。しかし、需給のバランスは依然として供給過剰の状態にあり、スラグの種類によっては利用範囲を更に広く求めて開発されなければならない【０００６】  従来、水産資源の生育環境の保全あるいは改良を図るため、漁礁、藻場を人工的に設置する方法がとられてきた。一般的にはコンクリートブロック、鉄製構造物、自然石等を海底に投入設置する方法である。【０００７】  最近は鉄鋼スラグをブロック化し漁礁、藻場造成に活用する取り組みがなされている。【０００８】  漁礁には、魚介類の棲みかを与える役目以外に、海中生物の生育に必要な有機物を与える必要もある。【０００９】  一例として、藻類の生育に必要な腐植酸鉄を供給するため廃木材チップを発酵させた腐植土とスラグの混合物を袋詰めしたものを海中に投入する技術も見られる。
【先行技術文献】
【非特許文献】
【００１０】
【非特許文献１】「鐵鋼スラグ協会  環境資材鉄鋼スラグパンフレット２０１１」鐵鋼スラグ協会、２０１１年７月発行、ｐ５３
【発明の概要】
【発明が解決しようとする課題】
【００１１】  海中生物に必要な有機物を与える目的で、木質材料だけを使用して製作した漁礁を海底に設置しようとすれば浮力が働き、漁礁を安定して設置するための固定操作が非常に困難である。固定がしっかりとできなければ漁礁が波力、浮力で破損され逆に海浜の損傷を招きかねない、という課題が生じる。【００１２】  比重が大きく且つ無機成分である鐵鋼スラグだけで製作した漁礁では、固定操作は容易にできるが、海中生物の生育に必要な有機物の供給が不十分であると同時に、小魚の棲み家も不十分である、という課題が生じる。【００１３】  本発明は、以上の課題を解決しようとするものであり、その方法、手段について以下に述べる。
【課題を解決するための手段】
【００１４】  本発明は、型枠を使用し鉄鋼スラグでブロックを製作する段階で、スラリー状の中に適量の木材丸太をブロックの中に埋め込むことによって上記課題を解決するものである。即ち比重２．１〜２．２の鉄鋼スラグを使用することにより、漁礁として設置した場合の安定性を確保できる。また木材丸太を埋め込むことにより藻の繁殖に必要な有機物の供給が出来る。【００１５】  更に、この木材丸太は２〜３年で腐蝕消失するので、消失した後には空洞の穴が出来る。この穴は、小魚の格好の棲み家として自然に出来ることになる。
【発明の効果】
【００１６】  本発明の効果は、まず第一に間伐材の有効利用を促進させることにより、採算の取れる山林経営に役立つと同時に間伐の促進により国土の保全に大きく貢献できる。【００１７】  第二に鉄鋼スラグをリサイクル品として更に広く利用できる。【００１８】  第三に海浜の藻場の造成を促進させる。【００１９】  第四に従来の漁礁を凌駕する効果を得ることができ沿岸漁業の発展に寄与できる。
【図面の簡単な説明】
【００２０】
【図１】  本発明の実施形態を示す正面図
【図２】  同木材丸太を埋め込んだ平面図
【図３】  同木材丸太が腐蝕消失した平面図
【発明を実施するための形態】
以下、本発明の形態を図１〜図３に基づいて説明する。
【００２１】  図においては、１はスラグを用いたブロック本体で大きさは状況に応じて任意とする。２は鉄鋼スラグのスラリーを型枠に投入した時点で木材丸太を埋め込んだ状態を示す。木材丸太の大きさは樹種、直径、長さ何れも任意とする。３は木材丸太がスラグスラリーに埋め込まれた状態を示す。４は木材丸太が経年と共に腐蝕消失し、そのあとに穴が残った状態を示す。
【００２２】  漁礁として海中に敷設するのは図２の状態で、横並び、縦並び、積み上げ等敷設面の地形に応じて任意に敷設する。この際、木材丸太が腐蝕消失した後の穴を他のブロックでふさがないよう、敷設に注意を要する。
【符号の説明】
【００２３】１  鉄鋼スラグを使用したブロック
２  ブロックに埋め込んだ木材丸太
３  ブロックに埋め込まれて見えない部分の木材丸太
４  埋め込んだ木材丸太が経年と共に腐蝕消失し、そのあとに残った穴
【図１】
2017189159.tif 000003
【図２】
2017189159.tif 000004
【図３】
2017189159.tif 000005
(57)【要約】      （修正有）【課題】口元を綺麗に特に歯が白く、またキラリと光る事で顔の美しさが目立つよう八重歯にする被せ義歯を提供する。【解決手段】美顔、美容を目的としたダイヤモンド（ウ）を埋め込んだ義歯（イ）で八重歯に見える様に、元から有る前歯の上に接着させる義歯とする。また、ダイヤばかりではなく、スワロフスキーや色々な宝石入りの義歯もある。さらに歯のお洒落に、差し歯（カ）に宝飾した義歯もある。なお、素材はプラスチック製の義歯であってよい。【選択図】図１
2017189564.tif 000002
【特許請求の範囲】
【請求項１】
美顔、美容を目的としたダイヤモンドを埋め込んだ義歯で八重歯に見える様に、元から有る前歯の上に接着させた義歯である。
【請求項２】
ダイヤばかりではなく、スワロフスキーや色々な宝石入りの八重義歯もある。プラスチック義歯
【請求項３】
歯のお洒落に、差し歯に宝飾した歯。プラスチック製をした歯もある。
【発明の詳細な説明】
【技術分野】
【０００１】  歯科技工士にプラスチック製の義歯に、ダイヤモンドや色々な宝石を埋め込んだ八重歯を造る事などたやすい事で新分野美顔美容の歯科技術である。差し歯も同様に宝飾した義歯を入れる。
【背景技術】
【０００２】  口元を綺麗に特に歯が白く、またキラリと光る事で顔の美しさが目立つよう八重歯にする事で美しさが引き立つのである。また、歯科美容専門医院が出来るのである。
【発明の開示】
【発明が解決しようとする課題】
【０００３】  歯を目立たせる事で皆が口を歯を気にする様になり、歯の美容衛生に気を付ける様になる。新しい付歯の流行になる事で技工士の仕事も増える事となるのである。
【課題を解決するための手段】
【０００４】  プラスチック義歯にする事で費用も安くすみ、処置も早く済み、新しいお洒落アイテムとして新商品として成り立つのである。
【発明の効果】
【０００５】  大都会近郊ほど歯医者が多く、競争が激しく廃業して行く歯科医院が多く、新しく新美容歯科医院とする事で新しい事業として成り立つのである。効果として若い女性、クラブのホストが八重歯を被せて好評である。
【発明を実施するための、最良の形態】
【０００６】  美顔や頭や髪の毛には気を配ってはいるが、口や歯を綺麗にする事で八重歯に見せる事で顔が一層引き立つのである。
【実施例】
【０００７】  クラブのホステス、ホスト達が八重歯にする事が流行していて、それにダイヤモンド入りの八重歯にした事で大評判となり、費用の掛からないプラスチック製が特に人気があるのである。
【産業上の利用可能性】
【０００８】  口腔衛生、歯科美容として歯医者と技工士に仕事の需要が増え、宝石業界、サービス業等に大いに貢献するのであり、産業上の利用は計り知れないのである。
【図面の簡単な説明】
【０００９】図面の名称【図１】Ａ．前面から見た八重歯ダイヤモンドの被せた図  Ｂ．自前の歯に被せた宝飾した八重歯側面図  Ｃ．差し歯に小粒ダイヤモンドを宝飾した差し歯の図  Ｄ．義歯と元歯に被せ合わせた断面図  （ア）自前の元歯  （イ）ダイヤモンドを埋め込んだ被せ義歯  （ウ）小粒のダイヤモンド  （エ）歯  （オ）歯茎  （カ）差し歯  （キ）一粒ダイヤモンド  （ク）歯根
【図１】
2017189564.tif 000003
(57)【要約】      （修正有）【課題】従来の箸は外国人には使いにくく．日本食に馴染めなく敬遠しがちなところがあったので、使いやすい箸を提供する。【解決手段】箸はピンセット型にした使いやすい箸４である。柄１を握り中央の両方の摘まみ５を２本の指で摘まむと．先端の箸で食べ物が簡単に挟めて食べることが出来る。観光．仕事等で来た外国人も安心して日本食を美味しく食べる事が出来．良いおもてなしとなる。【選択図】図１
2017189566.tif 000002
【特許請求の範囲】
【請求項１】
本発明は．先端は従来の箸の部分と同様であるが．柄を握る仕様にしたことと．中間の手元の両方の摘まみを２本の指で摘まんで．簡単に食べ物が挟めて食べられる様にした箸である。又箸の部分を長くすることにより．調理箸として揚げ物を揚げたり．盛り付け等に使用出来る。
【発明の詳細な説明】
【技術分野】
【０００１】本発明は食べ物を簡単に挟んで．口に運べるようにした．ピンセット型の箸である。
【背景技術】
【０００２】従来の箸は子供や外国人には使いにくいものであったが．ピンセット型にすることにより．食べ物を簡単に挟めて食べることが出来る。又箸の部分を長くすることにより．料理の時に調理箸として使用出来る。
【発明の概要】
【発明が解決しようとする課題】
【０００３】従来の箸は．外国人には使いにくい為．日本食に馴染めないという課題があった。
【課題を解決するための手段】
【０００４】上記の課題を解決する為に本発明は．柄の方はピンセット型とし．先端は箸として．中間の両方の摘まみを２本の指先で摘まむことにより．食べ物を簡単に挟めて食べることが出来るようにした。
【発明の効果】
【０００５】本発明により箸が簡単に使える為．外国人に対し日本食の普及も進展し．すばらしいおもてなしが出来ることとなる。従来の２本の箸で挟むより簡単である。
【図面の簡単な説明】
【０００６】
【図１】本発明の実施形態を示す．全体を側面から見た外観図である。
【図２】本発明の実施形態を示す．全体を正面から見た平面図である。
【発明を実施するための形態】
【０００７】本発明において．柄１を手の平で握り．箸４が開いているが．摘まみ５を２本の指で両方摘まむと閉じて．箸の先端２の部分で食べ物を簡単に挟むことができる。
【符号の説明】
【０００８】１．柄
２．滑り止め仕様の箸の先端
３．二又に分かれる部分
４．箸
５．摘まみ
【図１】
2017189566.tif 000003
【図２】
2017189566.tif 000004
(57)【要約】【課題】一枚の段ボールから外形を切り出し、スジ押し、半切、リード罫などの折り曲げ補助加工を施した柱状の堅牢な柱状構造により、軽量かつ堅牢な一体成型を特徴とした組立分解が可能なアートフレームを提供するものである。【解決手段】この発明のアートフレームの形成礎材は段ボールでありながら上記の特性を備えている。加工が簡単でありながら新規な構造であることをもって解決手段とした。【選択図】図１
2017189565.tif 000002
【特許請求の範囲】
【請求項１】
一枚の段ボールから外形を切り出し、スジ押し、半切、リード罫などの折り曲げ補助加工を施した展開原紙により一体成型されていることを特徴とする折り曲げ操作を加えた段ボール構造体による組立式アートフレーム関するものであって、底面部の四方周囲に、前記折り曲げ部を介して延設された直角に折り曲げられ柱状部材を機能することで、外部側面方向からの衝撃や上下方向からの衝撃に耐えることができるアートフレーム。
【請求項２】
礎材である段ボールはライナーと呼ばれる原紙とフルート（波型状）と呼ばれる中芯から形成されている。前記の段ボールを任意の寸法に裁断し、さらなる平板状の厚紙を張り合わせ柱状部材の補強をすることで強度が保持できるアートフレーム。
【請求項３】
前記請求項１の柱状部材によって形成された枠の長辺壁面と短辺壁面に任意の四角または円形状の釣止穴を設け、外部の吊り下げ器具に対応するアートフレーム。
【発明の詳細な説明】
【技術分野】
【０００１】    本発明は軽量かつ堅牢な組立分解が可能なアートフレームを提供するものである。
【背景技術】
【０００２】    従来からアートフレームの基本構成は木製。金属・樹脂の単一かそれらの組み合わせによる写真や絵画の展示装置であるが重量が大きいというのは明白である。【０００３】    またこれまでにも段ボールを用いたアートフレームの存在は知られているが、組み立て構造の成形が不十分で高級感に乏しく、強度に問題があることから普及していないのが現状である。木製等で見栄えの良いアートフレームは高価であると同時に、重量の重い木製や硬質樹脂製及び金属製のアートフレームを壁にかけるとなれば、壁の強度が問題となる。そのためにピクチューアレールの敷設の必要が生じる。さらには重量が重いことは搬入や搬出に手間がかかり、輸送するとなれば重量加算による運送料金が高額であるという問題が生じる。【０００４】    これらは、成形品なので形状は一定で組立性もよかった。しかし、再生が不可能な木製や石油を原料とする樹脂製品の材料は資源保護や廃棄処理上の問題、または地球温暖化対策の観点からも、出来る限りの再生可能な材料への転換が図られている。
【発明の概要】
【発明が解決しようとする課題】
【０００５】    ゆえに、本発明の軽量かつ堅牢なアートフレームの構造型式はそれぞれの特長の延長線上の発明であるが、その特性上の欠点を補い、さらなる進化さすことに他ならない。【０００６】    本発明における最大の課題は紙材から成る段ボールを礎材として簡単に組み立てられ、またきわめて安価なものとすることが可能でありながら、デザインも良好で見栄えもよく、そのことから絵画や写真展に限らず、各種の学校教材との対応性が良いだけでなく、制作するアートフレーム自体も工作教材品として利用できる段ボールアートフレームを提供するものである。【０００７】    したがって、本発明の目的は、上述の問題点の考証とその解決を目的とした。
【発明の効果】
【０００８】    以上のように、この発明のアートフレームの形成礎材は段ボールなので、安価であり、礎材の補給性も良く、あらゆる所望に対しても任意の寸法と形に形成できる。このため、かさ張らず、また体裁を良くすることは簡単である。なによりも効果的なのは軽くて、強度も有ることから個人宅やオフィスなどの装飾に際して容易であり展示会などの施工が迅速に行うことが出来る。【０００９】  また従来のアートフレームは重量が重いため、地震や不注意でアートフレームが墜落知れば大小の被害を蒙るが、この発明によるアートフレームは軽量のため安全である。
【図面の簡単な説明】
【００１０】
【図１】組立前の展開面図
【図２】正面完成図
【図３】裏面完成図
【図４】組立図
【発明を実施するための形態】
【００１１】段ボールアートフレームおける本発明の実施例の代表図面である。
【産業上の利用可能性】
【００１２】本発明の段ボールアートフレームはこれまでに既存しない軽量かつ安価なアートフレームとして不可欠な用途にも適用できるものである。
【符号の説明】
【００１３】  １  アートフレーム本体
２  マット
３  補強厚紙
４  釣止穴
【図１】
2017189565.tif 000003
【図２】
2017189565.tif 000004
【図３】
2017189565.tif 000005
【図４】
2017189565.tif 000006
(57)【要約】      （修正有）【課題】かき手部を有する第１帯状板と、握り手部を有する第２帯状板を蝶番で接続し、使用する時は双方を一直線に伸ばして使用する、使用しない時は二つ折りにすると格納に場所をとらず、小バッグに入れて携帯にも軽便である。【解決手段】先端にかき手部６を有する第１帯状板１と、握り手部３を有する第２帯状板２を蝶番７で接続し、双方を直線状態にした場合ゴムひも８で引き寄せて固定する、かつ又背面への反れを防止するため背受板９を設ける。【選択図】図１
2017189572.tif 000002
【特許請求の範囲】
【請求項１】
先端にかき手部を有する第１帯状板と、握り手部を有する第２帯状板を蝶番で接続し、第１帯状版と第２帯状版が蝶番を介して重ねあわせる事ができる孫の手。
【請求項２】
蝶番を介して展開を維持する手段を備えた請求項１に記載の孫の手。
【発明の詳細な説明】
【技術分野】
【０００１】本発明は、かき手部を有する第１帯状板と、握り手部を有する２帯状板を、蝶番を介して重ね合わせる事ができる孫の手。
【背景技術】
【０００２】第１帯状板と第２帯状板を蝶番を介して二つ折りにした、二つ折り孫の手に関する。
【発明の概要】
【発明が解決しようとする課題】
【０００３】本発明は使用しない時は長くて邪魔になっていたが、二つ折りにした為長さが半分になり身近に置いても存在感を感じない。
【課題を解決するための手段】
【０００４】先端にかき手部を有する第１帯状板と、握り手部を有する第２帯状板を蝶番で接続し、第１帯状板と第２帯状板を直線状態にした場合、ゴムひもで引き寄せて固定する、かつ又背面への反れを防止するため背受け板を設けた。【０００５】ゴムひもの設定について説明すると、ゴムひも端輪１０をゴムひも穴１２へ背面５より腹面４へ通しゴムひも端輪１０へゴムひも止め棒１６を差し込む。【０００６】ゴムひも端１１をゴムひも穴１３へ背面５より腹面４へ通し、更にゴムひも穴１４へ通し背面５に出す、通したゴムひも端輪１１をゴムひも穴１５へ背面５より腹面４へ通し、ゴムひもとめ棒１６をゴムひも端輪１１に差しこみ、最後にゴムひも止め棒溝１７に嵌め入れて固定する。
【発明の効果】
【０００７】  孫の手を二つ折りにすると半分の長さになり取り扱いが軽便になり、テーブル上の筆立て等に入れて置くことも可能であり、又小バック等に入れて携帯する事も可能である。
【図面の簡単な説明】
【０００８】
【図１】Ａ  腹面斜視図  Ｂ  背面斜視図  Ｃ  側面図
【図２】ゴムひも説定斜視図
【図３】ゴムひも側面図
【図４】Ａ  二つ折り孫の手操作図  Ｂ  折り畳んだ場合の斜視図
【発明を実施するための形態】
【０００９】二つ折りにした孫の手のかき手部６と握り手部３をもち両方に広げると、蝶番７の作用により一直線に延びる、この場合ゴムひもの収縮力によって第１帯状板１と第２帯状板２は引き寄せられる、かつ又背受板９によって背面５の方向へ反る作用を防止して、第１帯状板１と第２帯状板２は強固に固定される。
【符号の説明】
【００１０】１  第１帯状板
２  第２帯状板
３  握り手部】
４  腹面
５  背面
６  かき部
７  蝶番
８  ゴムひも
９  背受板
１０  ゴムひも端輪
１１  ゴムひも端輪
１２  ゴムひも穴
１３  ゴムひも穴
１４  ゴムひも穴
１５  ゴムひも穴
１６  ゴムひも止め棒
１７  ゴムひも止め棒溝
【図１】
2017189572.tif 000003
【図２】
2017189572.tif 000004
【図３】
2017189572.tif 000005
【図４】
2017189572.tif 000006
(57)【要約】【課題】今までのメガネ、サングラスと言うのは例外をのぞいて、２つのレンズを備えた物でしかなかった。このためファッション性に関しては何もない状態であった。【解決手段】左右のレンズの間にレンズをもう１つ追加してファッション性を向上させた。【選択図】図１
2017167497.tif 000002
【特許請求の範囲】
【請求項１】
メガネにレンズを１つふやしたい。
【発明の詳細な説明】
【技術分野】
【０００１】本発明は人々に楽しんでもらいたい。
【図面の簡単な説明】
【０００２】
【図１】メガネを前から見た図
【図２】メガネを横から見た図
【図３】メガネを上から見た図
【発明を実施するための形態】
【０００３】図２〜３で上のレンズがすこし奥に入っています。
メガネをかけた時にすきまがあくためです。
【図１】
2017167497.tif 000003
【図２】
2017167497.tif 000004
【図３】
2017167497.tif 000005
(57)【要約】【課題】従来、夜間の交通事故防止のため、頭部に光反射テープを取り付けた夜光帽子があったが、前記夜光帽子を昼間に着用すると、光反射テープが外光を反射して目障りになり、帽子の外観を損なっていた。本発明は、昼間に着用する時に簡単な操作によって外光の反射を防止し、帽子の外観を損なわない夜光帽子を提供する。【手段】表面に光反射面を備えたテープを、頭部の外周面に配設した複数個のテープ通しに挿通し、環状に設けたことを特徴とする夜光帽子である。【選択図】図１
2017190551.tif 000002
【特許請求の範囲】
【請求項１】
表面に光反射面を備えたテープを、頭部の外周面に配設した複数個のテープ通しに挿通し、環状に設けたことを特徴とする夜光帽子。
【発明の詳細な説明】
【技術分野】
【０００１】  本発明は、昼間の着用時に外光の反射を防止した夜光帽子に関するものである。
【背景技術】
【０００２】  従来、暗い場所や夜間に視認を容易にするために、頭部に光反射シールを取り付けた夜光帽子があった。また、特許文献１では、ヘルメット装着時の見栄えを向上でき、単独でも頭部にフィットした帽子として用いることができる、ヘルメットカバーを兼ねた帽子を提供する発明（特許文献１参照）や、特許文献２では、自動車のヘッドライト光を受けて反射発光する帽子カバーを提供する発明が知られている（特許文献２参照）。
【先行技術文献】
【０００３】
【特許文献１】特開２０１１−２１９９０１号公報
【特許文献２】登録実用新案公報３０５５３８７号公報
【発明の概要】
【発明が解決しようとする課題】
【０００４】  上記した従来の夜光帽子等には、つぎのよう問題点があった。
（イ）、頭部に光反射シールを貼着した夜光帽子は、昼間に着用すると光反射シールが外光を反射して目障りになり、帽子の外観を損なう欠点があった。
（ロ）、ヘルメットカバーを兼ねた帽子は、スライド片よって周方向に伸縮可能な帽子を、クラウン部の外周面に設けた弾性帯状体の収縮力により、装着したヘルメットまたは帽子着用者の頭部にフィットするように構成したものであるが、外光を反射する機能がないので、夜間の交通事故を防止には不適当であった。
（ハ）、反射発光する帽子カバーは、カバーの上面を形成する上面布の周縁に、外光を反射する再帰性反射生地の用いた側面布の上縁を縫着すると共に、側面布の両端末に一組の面ファスナーを装着してカバー開閉部としたものであって、制帽に冠着して使用すれば夜間は外光を反射して視認効果を有するが、昼間は制帽の外観を損なうので取り外しと携帯を必要とする不便があった。
本発明は、上記の問題点を解決するためのものである。
【課題を解決するための手段】
【０００５】  本発明の夜光帽子は、表面に光反射面を備えたテープを、頭部の外周面に配設した複数個のテープ通しに挿通し、環状に設けた。以上を特徴する夜光帽子。
【発明の効果】
【０００６】  本発明の夜光帽子は、テープの表裏面を反転するだけの簡単な操作で昼夜両用が可能であると共に、昼間の着用時には外光の反射がなく帽子の外観を損なわない。
【図面の簡単な説明】
【０００７】
【図１】本発明の一部を切欠した側面図である。
【図２】本発明の昼間時の状態を示す一部を切欠した側面図である。
【発明を実施するための形態】
【０００８】  以下、本発明の実施の形態について説明する。
（イ）、布で出来たテープ（２）の表面に、テープ（２）より、やや巾を小にした光反射テープを、双方の長手方向中央を一致させて熱圧着し光反射面（１）を形成する。そして、光反射面（１）の両側にテープ（２）の表面を帯状に残存させる。
（ロ）、左右が開口した４個のテープ通し（４）を、頭部（３）の外周面に等間隔にて配置すると共に、頭部（３）の下縁部にテープ通し（４）の下縁部をそろえる。ついで、頭部（３）の外周面にテープ通し（４）の上縁部と下縁部を縫着する。
（ハ）、表面を外側にしたテープ（２）を４個のループ通し（４）に同一方向から順次挿通した後、テープ（２）の両端末を重ね合せて１組の面ファスナーにて着離可能に接合し環状にした夜光帽子である。
以上は本発明の構成である。
本発明を夜間に使用する時は、上記の如く構成した帽子を其の儘の状態で着用する。それにより、光反射面（１）がループ通し（４）によって遮蔽された部分を除き、四周からの外光を反射するので、夜間の交通事故防止に効果を奏する。
そして、本発明を昼間に使用する時は、テープ（２）の一部を片方の手先で表裏面を反転して保持し、ついで、他方の手先にて残余のテープ（２）を順次、表裏面を反転して全体に及ぼす。以上の操作によって光反射面（１）がテープ（２）の裏面に位置するため、其の儘の状態で着用すると目障りになる外光の反射がなく、帽子の外観を損なわない。なお、光反射面（１）の上下両側に残存する帯状をしたテープ（２）の表面部分は、表裏面を反転後のテープ（２）に若干の変形を生じても、光反射面（１）に外光が到達することを防止するように作用する。
再び夜間に使用する時は、昼間使用時と同一手順にてテープ（２）の表裏面を反転し、光反射面（１）をテープ（２）の表面にして着用すると、テープ通し（４）によって遮蔽された部分以外の光反射面（１）が、四周からの外光を反射するので夜間の着用に供する。
【符号の説明】
【０００９】    １  光反射面
２  テープ
３  頭部
４  ループ通し
【図１】
2017190551.tif 000003
【図２】
2017190551.tif 000004
(57)【要約】【課題】  ブラジャーのカップ下部にワイヤを設けてバストアップを目的としたものがあったが、殆ど効果がなかった。【解決手段】  ブラジャーのカップと肩紐を繋ぐ吊り紐を設けた。【選択図】図１
2017190550.tif 000002
【特許請求の範囲】
【請求項１】
ブラジャーのカップの肩紐取り付け部と中央谷部の間の略中央部に、カップと肩紐を繋ぐ吊り紐を設け、前記吊り紐に長さ調節具を設けた吊り紐付きブラジャー。
【請求項２】
前記吊り紐が胸の前で交差している請求項１記載の吊り紐付きブラジャー。
【請求項３】
前記吊り紐の一端又は両端に、ブラジャーに着脱自在に取り付けられる接続具を設けた請求項１、２の何れか一項に記載の吊り紐付きブラジャー。
【発明の詳細な説明】
【技術分野】
【０００１】  本発明は、乳房を吊り上げる吊り紐付きブラジャーに関する。
【背景技術】
【０００２】  従来、バストアップ（乳房を高い位置に保つ）の為にブラジャーのカップの下部にワイヤが入った物があった。
【発明の概要】
【発明が解決しようとする課題】
【０００３】  これには次のような欠点があった。
ワイヤで乳房下部を押さえるだけなので、バストアップの効果は殆ど得られなかった。
【課題を解決するための手段】
【０００４】  ブラジャーのカップの肩紐取り付け部と中央谷部の間の略中央部に、カップと肩紐を繋ぐ吊り紐を設け、前記吊り紐に長さ調節具を設けたものである。【０００５】  又、前記吊り紐が胸の前で交差しているものである。【０００６】  又、前記吊り紐の一端又は両端に、ブラジャーに着脱自在に取り付けられる接続具を設けたものである。
【発明の効果】
【０００７】  ワイヤで乳房下部を押さえるだけのものと違い、吊り紐で乳房を吊り上げるのでバストアップは勿論、乳房を寄せて上げる効果があるので美しいバストを形作る事ができる。
【図面の簡単な説明】
【０００８】
【図１】  本発明の実施例１の正面図
【図２】  本発明の実施例２の正面図
【図３】  本発明の実施例３の正面図
【図４】  本発明の実施例４の正面図
【図５】  本発明の実施例５の正面図
【発明を実施するための形態】
【０００９】  以下、本発明の実施の形態を説明する。
【実施例１】
【００１０】  実施例１を図１に基づいて説明する。
図においては、ブラジャー１のカップ２の肩紐取り付け部４と中央谷部５の間の略中央部に、カップ２と肩紐３の略肩位置部を繋ぐ吊り紐６が設けられている。【００１１】  又、吊り紐６には、長さ調節のできる長さ調節具７が設けられている。
【実施例２】
【００１２】  実施例２を図２に基づいて説明する。
図においては、ブラジャー１のカップ２の肩紐取り付け部４と中央谷部５の間の略中央部に、カップ２と肩紐３の略肩位置部を繋ぐ吊り紐６が設けられている。【００１３】  又、吊り紐６には長さ調節のできる長さ調節具７が設けられており、吊り紐６は胸の前で交差している。
【実施例３】
【００１４】  実施例３を図３に基づいて説明する。
図においては、実施例２のものの吊り紐６の上端に、肩紐３に着脱自在に取り付けられる接続具７が設けられている。【００１５】  接続具７により吊り紐６の肩紐３への取り付け位置を変えられるので体の寸法に合わせ易い。
【実施例４】
【００１６】  実施例４を図４に基づいて説明する。
図においては、実施例２のものの吊り紐６の両端に、ブラジャー１に着脱自在に取り付けられる接続具７が設けられている。【００１７】  吊り紐６がブラジャー１に着脱自在になっているので、体の寸法に合わせて取り付け位置を変えることができる。
【実施例５】
【００１８】  実施例５を図５に基づいて説明する。
図においては、ブラジャー１のカップ２の肩紐取り付け部４と中央谷部５の間の略中央部に、胸の前で交差して首の後ろで結べる長さの吊り紐６が設けられている。
尚、吊り紐６をブラジャー１に着脱自在にしてもよい。
又、吊り紐６を結ぶ代わりに、スナップや面ファスナー等で繋ぐようにしてもよい。
【符号の説明】
【００１９】  １  ブラジャー
２  カップ
３  肩紐
４  肩紐取り付け部
５  中央谷部
６  吊り紐
７  長さ調節具
８  接続具
【図１】
2017190550.tif 000003
【図２】
2017190550.tif 000004
【図３】
2017190550.tif 000005
【図４】
2017190550.tif 000006
【図５】
2017190550.tif 000007
(57)【要約】【課題】  網の隙間からごみを引きずり出し又は網をはぐってごみを散らかしている。  本発明は、カラスによるごみの散乱をなくすごみステーションを提供する。【解決手段】  ごみ投入口の上下にレールを設け、釣糸のテグスでごみ投入口の全面にテグスで出来たカーテンを取り付け、レールの上部にはランナーを装着し下部レールには、カーテンの下に取り付けた重りをレールに設けたことを特徴とするごみステーションカラスよけカーテン。【選択図】図１
2017190243.tif 000002
【特許請求の範囲】
【請求項１】
ごみ投入口の上下にレールを設け、釣糸のテグスでごみ投入口の前面にテグスで出来たカーテンを取り付け、レールの上部にはランナーを装着し、下部レールにはカーテンの下に取り付けた重りをレールに設けたごみステーションカラスよけカーテン。
【発明の詳細な説明】
【技術分野】
【０００１】  本発明は、カラスによるごみの散乱を防ぐごみステーションカラスよけカーテンに関するものである。
【背景技術】
【０００２】  従来、ごみステーションは骨組み部材に金網又は網などで覆っているものが知られている。（特許文献１参照）
【先行技術文献】
【特許文献】
【０００３】
【特許文献１】  特開２００６−２１３５１４号公報
【発明の概要】
【発明が解決しようとする課題】
【０００４】  カラスによるごみの散乱はひどいものである。網の隙間からごみを引きずり出し、また網をはぐってごみを散乱させる。それを犬、猫などがあつまりさらに散乱を拡大してしまう問題があった。
本発明は、以上の問題点を解決するためになされたものである。
【課題を解決するための手段】
【０００５】  ごみ投入口の上下にレールを設け、釣糸のテグスでごみ投入口の全面にテグスで出来たカーテンを取り付け、レールの上部にはランナーを装着し、下部レールにはカーテンの下に取り付けた重りをレールに設けたごみステーションカラスよけカーテン。
以上の構成よりなるごみステーションカラスよけカーテン。
【発明の効果】
【０００６】  従来不可能とされてきたカラスによるごみの散乱、カラスは釣糸のテグスの光りとテグスが羽にからむのがこわいため為、テグスには近寄らないのである。
本発明は、カラスによるごみの散乱をこの発明によりなくすことができる。
【図面の簡単な説明】
【０００７】
【図１】  本発明の斜視図
【図２】  本発明の使用状態を示す斜視図
【図３】  本発明のレールにランナー、テグス、重りを取付けた使用斜視図。
【図４】  本発明の右側面図
【発明を実施するための形態】
【０００８】  以下、本発明の実施の形態を説明する。
（イ）ごみステーション（１）のごみ投入口の蓋はなく投入口の上下にレール（４）を設ける。
（ロ）ごみの投入口に釣糸のテグス（２）で出来たカーテン（３）を設ける。
（ハ）レール（４）には、カーテン（３）を取り付けるランナー（７）とフック（６）と取り付けレール（４）の左右にストッパー（９）を設ける。
（ニ）カーテン（３）の下に重り（５）を取り付け、カーテン（３）の開閉にマグネットランナー（８）とチェーン（１０）を設ける。
本発明は以上のような構造である。
本発明を使用するときは、ごみステーション（１）のごみ投入口の上下には、カーテン（３）をスライドさせるレール（４）がついており、レール（４）内をスライドするランナー（７）を取り付け、またレール（４）には左右にストッパー（９）を取り付ける、カーテン（３）は釣糸のテグス（２）で出来ており巾は１３００ｃｍ×高さ７００ｃｍ、ピッチ間隔は１５０ｃｍぐらいでランナー（７）から下１５０ｃｍのところに横に１本、また下の重り（５）から１５０ｃｍ上のところに横１本これを上下左右に編んでゆき、１枚のカーテン（３）を作る、これをごみ投入口前面のランナー（７）に取り付ける、カーテン（３）の下に重り（５）を取り付け、カーテン（３）のゆがみを取りカーテン（３）を張る、またカーテン（３）の開閉にマグネットランナー（８）を付けておりカーテン（３）を開くときレールからマグネットランナー（８）のマグネットを外し、また閉める時はマグネットランナー（８）のマグネットをレール（４）にセットする、マグネットランナー（８）はマグネット部分が２つに離れるので、マグネット同士は細いチェーン（１０）で繋いでおく、またカーテン（３）の開閉はマグネットランナー（８）の部分を手で開閉する。
以前魚を干していた時、魚をカラスに持っていかれ、その時からテグス（２）を使用するようになった、テグス（２）の光りか、またはテグス（２）が羽に絡むのが嫌なのかテグスを張ってから、カラスは一定の距離をおいて近寄らないのである。
【符号の説明】
【０００９】１ごみステーション、２テグス、３カーテン、４レール、５重り、６フック、７ランナー、８マグネットランナー、９ストッパー、１０チェーン
【図１】
2017190243.tif 000003
【図２】
2017190243.tif 000004
【図３】
2017190243.tif 000005
【図４】
2017190243.tif 000006